(57)【要約】【課題】光源を下方から覆うカバーとこれを支持する端部材との間での擦過音の発生を抑制できるとともに、この抑制のための工程を要しない照明器具を提供する。【解決手段】照明器具は、蛍光ランプ８が取付けられる器具本体２と、透光性合成樹脂製のカバー12と、カバー12をこのカバーの伸び縮みを許容して支持し器具本体２の長手方向両端部に夫々固定される合成樹脂製の端部材21とを具備する。カバー12は、その手方向に直交する方向の断面形状が円弧状でこの円弧の両端が切断面13aからなる。カバー12を、器具本体２を下方から覆って配置する。端部材21は、カバー支持壁23及びこの支持壁の内側曲面23aに一体に突出成形されたスペーサ凸部26を有する。支持壁23は、カバー12の曲率とは異なる曲率の円弧状をなしカバーの外側曲面13b側からカバーの長手方向の端部を支持する。凸部26を、切断面13aより下方でかつ支持壁23の内側曲面23aとカバー12の外側曲面13bとの接触部Ｂより上方位置で外側曲面13bに接触可能に設ける。【選択図】      図４
2008288083.tif 000002
【特許請求の範囲】
【請求項１】
光源が取付けられる器具本体と；
この器具本体を下方から覆って配置され、長手方向に直交する方向の断面形状が円弧状でこの円弧の両端が切断面からなる透光性合成樹脂製のカバーと；
前記器具本体の長手方向両端部に夫々固定される合成樹脂製の端部材であって、前記カバーの曲率とは異なる曲率の円弧状をなして前記カバーの外側曲面側から前記カバーの長手方向の端部を支持するカバー支持壁を有して、前記カバーをこのカバーの伸び縮みを許容して支持するとともに、前記切断面より下方でかつ前記カバー支持壁の内側曲面と前記カバーの外側曲面との接触部より上方位置で前記外側曲面に接触可能なスペーサ凸部が、前記内側曲面に一体に突出成形された前記端部材と；
を具備したことを特徴とする照明器具。
【請求項２】
前記端部材が前記切断面に上方から対向する対向壁を有し、この対向壁の下面から前記スペーサ凸部までの垂直距離を３０ｍｍ以内としたことを特徴とする請求項１に記載の照明器具。
【発明の詳細な説明】
【技術分野】
【０００１】
本発明は、光源を下方から覆う合成樹脂製のセードを備えた照明器具に関する。
【背景技術】
【０００２】
従来、ランプを下方から覆うセンターカバーと、このセンターカバーの長手方向両側に夫々接続されるエンドカバーとからなるセードを備えた照明器具が提案されていて、そのセンターカバーはランプの熱によって長手方向に伸びることが知られている（例えば、特許文献１参照。）。
【０００３】
この照明器具のセードでは、センターカバーの長手方向と直交する方向の断面形状が円弧状をなしているので、これに合わせて、センターカバーの長手方向の端部（接続端部）を支持するエンドカバーのカバー支持壁（接続端部）も円弧状をなしている。センターカバーの接続端部はエンドカバーの接続端部の内側に嵌合されている。この嵌合状態は、エンドカバーの接続端部に設けた複数の係止部と、センターカバーの接続端部に設けた複数の係止爪との係合によって保持されている。
【特許文献１】実開平６−５０１３５号公報（段落0001−0003、図６）
【発明の開示】
【発明が解決しようとする課題】
【０００４】
特許文献１のようにセンターカバー及びエンドカバーの接続端部が共に円弧状であって、これらを嵌合させた構成では、ランプが点灯されてセンターカバーの温度が上昇するに従い、このセンターカバーが長手方向に伸びることは勿論であるが、同時にセンターカバーはその上端開口が開くように広がる。この変形により、センターカバーの接続端部の上端面と外側曲面とがなす角が、エンドカバーの接続端部の内側曲面に擦れる。又、ランプを消灯した後のセンターカバーの温度低下に伴う熱収縮においても前記角がエンドカバーの接続端部の内側曲面に擦れる。
【０００５】
ところで、特許文献１では、センターカバーの材質及び上端面の形態は説明されていないが、この種のセンターカバーは一般に合成樹脂製である。そして、センターカバーは、その素材を長手方向と直交する断面が円弧状となるように成形した後に、この成形体を所定の高さ位置で切断することによって、センターカバーを所定の寸法公差内に収めて作ることが一般的であるから、センターカバーの上端面は切断面となっている。これにより微視的にはセンターカバーの切断面からなる上端面の角にバリが形成されることがある。
【０００６】
そのため、既述のように点灯後及び消灯後のセンターカバーの温度変化に伴い、前記角のバリがエンドカバーの接続端部の内側曲面に擦れることで、擦過音を生じる場合があり、その対策が求められている。
【０００７】
擦過音を抑制する対策として、センターカバーの接続端部の上端面（切断面）を覆って滑性の高い保護テープを貼り付けるか、又はセンターカバーの接続端部の上端面（切断面）の角のバリを落す面取り加工が考えられる。しかし、いずれの対策であっても、そのための工程が必要でコスト高になるので好ましくない。
【０００８】
本発明の目的は、光源を下方から覆うカバーとこれを支持する端部材との間での擦過音の発生を抑制できるとともに、この抑制のための工程を要しない照明器具を提供することにある。
【課題を解決するための手段】
【０００９】
請求項１の発明は、光源が取付けられる器具本体と；この器具本体を下方から覆って配置され、長手方向に直交する方向の断面形状が円弧状でこの円弧の両端が切断面からなる透光性合成樹脂製のカバーと；前記器具本体の長手方向両端部に夫々固定される合成樹脂製の端部材であって、前記カバーの曲率とは異なる曲率の円弧状をなして前記カバーの外側曲面側から前記カバーの長手方向の端部を支持するカバー支持壁を有して、前記カバーをこのカバーの伸び縮みを許容して支持するとともに、前記切断面より下方でかつ前記カバー支持壁の内側曲面と前記カバーの外側曲面との接触部より上方位置で前記外側曲面に接触可能なスペーサ凸部が、前記内側曲面に一体に突出成形された前記端部材と；を具備したことを特徴としている。
【００１０】
請求項１の発明で、光源には、直管型蛍光ランプ以外に、例えば複数の発光ダイオードからなる光源を用いることも可能である。請求項１の発明で、カバーは、透明又は拡散透光性の合成樹脂材料で成形できる他、このカバーの内側曲面又は外側曲面に拡散シートを付加した構成とすることも可能である。
【００１１】
請求項１の発明で、端部材のカバー支持壁とカバーの曲率とはどちらを大きくしても差し支えない。しかし、これら両者の下端部間に隙間が目立って形成されないようにするとともに、カバーの長手方向の端部を端部材の内側に容易に嵌合できるように、カバーの曲率をカバー支持壁の曲率より小さくすることが好ましい。
【００１２】
請求項１の発明で、スペーサ凸部は、カバー支持壁の円弧が延びる方向に交差して好ましくは直交してリブ状に設けることができ、或いは、カバー支持壁の円弧が延びる方向に沿って延びるリブ状に設けることもできる。更に、スペーサ凸部は、リブ状に限らず、点状に独立した形態に設けても良い。しかも、スペーサ凸部は、その断面形状が半円状である等表面が曲面をなしていて、この曲面にカバーの外側曲面が接触可能となるようにすることが好ましい。
【００１３】
又、請求項１の発明では、請求項２の発明のように、前記端部材が前記切断面に上方から対向する対向壁を有し、この対向壁の下面から前記スペーサ凸部までの垂直距離を３０ｍｍ以内とすることが望ましい。
【００１４】
請求項１，２の発明では、光源の点灯に伴って光源の熱でカバーが広げられた際、カバーの長手方向の端部の外側曲面がスペーサ凸部に接触することで、カバーの長手方向の端部の切断面と外側曲面とがなす角が、カバー支持壁の内側曲面に接触することが防止される。これにより、光源の点灯後及び消灯後に端部材とカバーとの間での擦過音の発生を抑制できる。これとともに、スペーサ凸部をカバー支持壁の内側曲面に一体成形したので、前記擦過音の発生を抑制するために、それ用のコストが掛かる工程を要することがない。
【発明の効果】
【００１５】
請求項１，２の発明によれば、点灯後及び消灯後に、光源を下方から覆うカバーとこれを支持する端部材との間での擦過音の発生を抑制できるとともに、この抑制のための工程を要しない照明器具を提供できる。
【発明を実施するための最良の形態】
【００１６】
図１〜図４を参照して本発明の一実施形態を説明する。
【００１７】
図１（Ａ）中符号１は屋内天井等に直付け設置される照明器具を示している。この照明器具１は、図１（Ｂ）に示す器具本体２と、この器具本体２を下方から覆って設けられるセード１１を備えている。
【００１８】
図１（Ｂ）に示すように器具本体２は、長方形状をなす金属板製の本体ベース３の長手方向両端部に、金属板製の本体端板４（一方のみ図示）を夫々溶接止め等により固定して形成されている。本体ベース３は屋内天井にねじ止めされる。
【００１９】
器具本体２の下面にはこの器具本体２の長手方向に延びる反射板５が取付けられている。この反射板５は、略Ｖ字状に折り曲げられていて、器具本体２の下面に取付けられた図示しない電子安定器等の点灯装置を覆って配設されている。
【００２０】
本体端板４の本体ベース３に対して直角に配置された部分は下側に向けて凸となる略半円形状をなしている。この部分の内側面には、図１（Ｂ）に示すように例えば一対のランプソケット６が装着されている。これととともに、前記半円形状の部分にはねじ孔７が設けられている。器具本体２の長手方向に対向するランプソケット６には、これらにわたって光源である直管型の蛍光ランプ８が取外し可能に支持されている。蛍光ランプ８は反射板５の斜状面にその下側から対向して配設されている。
【００２１】
セード１１は、カバー１２と、一対の端部材２１とを備えている。
【００２２】
図２等に示すようにカバー１２は、カバー本体１３に拡散シート１４を接着して形成されている。カバー本体１３は、透光性合成樹脂例えば透明なアクリル系合成樹脂具体的にはＰＭＭＡで成形されていて、器具本体２の長さとほぼ等しい長さを有している。カバー本体１３の長手方向に直交する方向の断面形状は、下側に向けて凸となる円弧状をなしている。
【００２３】
このカバー本体１３は、アクリル系合成樹製の一枚の長方形状の平板を、その長手方向と直交する断面の形状が円弧状となるようにプレス成形した後に、所定の高さとなるように両側縁を切断して形成されたものである。そのため、カバー本体１３の円弧の両端をなす前記両側縁は切断面１３ａからなる。この切断面１３ａとカバー本体１３の外側曲面（つまり、カバー１２の外側曲面）１３ｂは９０°未満の角Ｅをなしている。前記切断によって微視的には角Ｅにバリ（図示しない）が形成されることがある。
【００２４】
拡散シート１４は拡散透過性材料で作られている。この拡散シート１４は、カバー本体１３の全長と同じ長さを有していて、カバー本体１３の内側曲面（つまり、カバー１２の内側曲面）に、このカバー本体１３の幅方向（長手方向に直交する方向）の両側部を除いた中央部領域に接着されている。この拡散シート１４によって蛍光ランプ８が直視されないようにしてある。
【００２５】
カバー１２の長手方向両端部の夫々には、図２〜図４に示すように一対の逃げ孔１５（一方のみ図示）が開けられている。逃げ孔１５はカバー１２の長手方向に延びる長孔からなる。
【００２６】
一対の端部材２１は、カバー１２の長手方向両端部をこのカバー１２の温度変化に伴う伸び縮みを許容するものであって、非透光性の合成樹脂の一体成型品からなる。これらの端部材２１は、図２〜図４に示すように端板部２２と、カバー支持壁２３と、対向壁２４と、保持板２５と、スペーサ凸部２６とを備えている。
【００２７】
詳しくは、端板部２２は半円形状をなしている。この端板部２２は、本体端板４の本体ベース３に対して直角に配置された部分よりも大きい。端板部２２には、組立てられた照明器具１又はセード１１を手で運ぶ際の手掛けとなる取手部２７が、端板部２２の外側面から内側面に向けて窪んで形成されているとともに、この取手部２７の奥壁中央にねじ通孔２７ａ（図４参照）が設けられている。
【００２８】
カバー支持壁２３は、端板部２２の内側面に対して直角に突設され、かつ端板部２２の円弧状の縁に沿って設けられている。したがって、カバー支持壁２３は下側に向けて凸となる円弧状に形成されている。このカバー支持壁２３の曲率はカバー１２の曲率より大きい。対向壁２４は、端板部２２の上縁及びカバー支持壁２３の上縁にわたっていて、端板部２２の内側面に対して直角に折れ曲がるように突設されている。
【００２９】
保持板２５は、カバー支持壁２３の内側曲面２３ａとの間に所定の間隙を形成して端板部２２の内側面に直角に突設され、かつ、カバー支持壁２３に沿って間隔的に複数設けられている。前記隙間はカバー１２の板厚よりも大きい。なお、複数の保持板２５を設けることに代えて、円弧状をなす一枚の保持板２５とすることもできる。端板部２２の上部に位置された二つの保持板２５の上端は対向壁２４の長手方向の端部下面に対向している。
【００３０】
端板部２２の下部に位置された他の二つの保持板２５の一部は、厚肉となっている。この厚肉部２５ａには図３に示すようにねじ孔２９が貫通して開けられていて、このねじ孔２９にはカバー１２を端部材２１から外れないように接続する接続部材として例えばねじ３０が螺挿されるようになっている。
【００３１】
スペーサ凸部２６は、カバー支持壁２３の内側曲面２３ａに一体に突出形成されている。具体的には、カバー支持壁２３の斜め上向きの端部に夫々位置して内側曲面２３ａからスペーサ凸部２６が突設されている。内側曲面２３ａに対するスペーサ凸部２６の突出寸法は１ｍｍ以下である。
【００３２】
スペーサ凸部２６は、カバー支持壁２３の円弧が延びる方向に直交してリブ状に設けられている。言い換えれば、図３に示すように端板部２２に対するカバー支持壁２３の出幅方向に延びるリブ状に形成されている。このスペーサ凸部２６の断面形状は半円状である。
【００３３】
このスペーサ凸部２６から対向壁２４の長手方向の端部下面までの垂直距離を図４中符号Ａで示す。この垂直距離Ａは３０ｍｍ以内であることが好ましく、より好ましくは１０ｍｍ±１ｍｍとするとよい。
【００３４】
スペーサ凸部２６は、カバー１２の切断面１３ａの近傍に寄せて、端板部２２の上部に位置された二つの保持板２５の上端より上方に設けられているので、以下の点で有利である。
【００３５】
つまり、端板部２２の上部に位置された二つの保持板２５の側面に対向させてスペーサ凸部２６を設ける場合に比較して、成形型を用いた端部材２１の成形が容易になる。これとともに、後述のように端部材２１とカバー１２の長手方向の端部を嵌合させる際に、カバー１２の切断面１３ａが互いに近付くようにカバー１２を大きく撓ませて変形させる手間を要しないので、セード１１を組立てる際の前記嵌合作業を容易化できる。しかも、既述のようにカバー１２の切断面１３ａが互いに近付くように大きくカバー１２を撓ませて変形させないので、カバー１２の長手方向の端部での外側曲面１３ｂとこれに対向するセード支持壁２３の内側曲面２３ａの上部との間が大きく離れることがなく、したがって、カバー１２と端部材２１との嵌合部での収まりが良く、組立てられたセード１１の外観の低下を防止できる。
【００３６】
セード１１は次の手順で組立てられる。
【００３７】
まず、常温状態下で、カバー１２の長手方向の端部の夫々に端部材２１を嵌合することにより、端部材２１のカバー支持壁２３と各保持板２５との隙間にカバー１２の長手方向の端部を挿入させる。
【００３８】
これにより、カバー１２とカバー支持壁２３との曲率の違いに基づき図４に示すように本実施形態では、カバー支持壁２３の内側曲面２３ａの中央部（下向きの頂部）とカバー１２の外側曲面１３ｂの中央部（下向きの頂部）とが接触される。これとともに、この接触部Ｂ（図４参照）からカバー１２の切断面１３ａに至るに従い、カバー１２の外側曲面１３ｂがカバー支持壁２３の内側曲面２３ａに対して次第に離れるようにカバー１２が配置される。この配置状態でカバー１２の上縁部、つまり、切断面１３ａ側部位の外側曲面１３ｂは、スペーサ凸部２６に若干の隙間をもって近接し或いは軽微に接する。更に、カバー１２の切断面１３ａはスペーサ凸部２６より上方に位置して端部材２１の対向壁２４の下面に近接して対向する。
【００３９】
なお、本実施形態では、カバー１２の上縁部の内側曲面が上位置の保持板２５の上端部に軽微に接触する設定としてある。したがって、カバー１２の長手方向の端部は、カバー１２の外側曲面１３ｂと上位置の保持板２５とで挟まれるようになるため、カバー１２と端部材２１とは互いのがたつきが抑制されるように組合される。この組み合わせ状態においてカバー１２の長手方向両端は端板部２２の内側面に接していない。
【００４０】
次に、必要によりカバー１２の円弧が延びる方向に沿って端部材２１の位置を微調整して、端部材２１のねじ孔２９をカバー１２の逃げ孔１５に対向させる。この後に、ねじ孔２９にねじ３０を螺挿して、その先端部を逃げ孔１５内に配置させる。これにより、カバー１２から端部材２１が外れ止めされるとともに、逃げ孔１５の幅及び長さの範囲内でカバー１２と端部材２１との相対的移動が許されるようにカバー１２と端部材２１とが接続される。
【００４１】
こうして組立てられたセード１１は、蛍光ランプ８が取付けられている器具本体２にこれを下方から覆って取付けられる。つまり、器具本体２を下方から覆う位置にセード１１を配置することにより、図４中二点鎖線で示すように本体端板４が端部材２１の端板部２２の内側面に対向するように配置される。そして、この状態で、端板部２２のねじ通孔２７ａに図１（Ｂ）に示した連結ねじ１８を通して本体端板１４のねじ孔７に螺合させることにより、セード１１を器具本体２に連結する。この連結ねじ１８の頭部は取手部２７内に配置される。なお、ランプ交換等のメンテナンスをする場合には、以上と逆の手順でセード１１を器具本体２から外すことができる。
【００４２】
なお、図４中符号１９は本体ベース３の周部に沿って四角枠状に連続して取付けられたスポンジ状の防虫パッキンを示している。この防虫パッキン１９は、既述のように照明器具１が組立てられるに伴い、一対の端部材２１間に露出したカバー１２の切断面１３ａ及び対向壁２４に弾性変形した状態で密接して、器具本体２とセード１１との間をシールする。
【００４３】
照明器具１の蛍光ランプ８が点灯されると、それに伴う蛍光ランプ８の放熱によりカバー１２の温度が上昇するので、カバー１２は熱膨張する。この熱膨張により、カバー１２は、その長手方向に伸びるとともに、カバー１２の幅方向両側に位置している切断面１３ａ間の距離が大きくなるように広げられる。又、蛍光ランプ８が消灯されると、カバー１２は熱収縮して、カバー１２の長手方向寸法が短くなるとともに、カバー１２の切断面１３ａ間の距離が小さくなるように狭められる。
【００４４】
カバー１２の長手方向の伸び縮みは、このカバー１２が１，５ｍｍの場合、湿気の程度にもよるが１０ｍｍ〜１５ｍｍである。この伸びは、固定のねじ３０に対する逃げ孔１５の相対移動により吸収される。
【００４５】
ところで、端部材２１のカバー支持壁２３の内側曲面２３ａにスペーサ凸部２６が突設されているので、既述の熱膨張によりカバー１２がこのカバー１２の幅方向に広げられても、切断面１３ａより下方位置でカバー１２の長手方向の端部の外側曲面１３ｂがスペーサ凸部２６に接して、それ以上、カバー１２が幅方向に広げられないようにできる。それにより、カバー１２の長手方向の端部の切断面１３ａと外側曲面１３ｂとがなす角Ｅと、カバー支持壁２３の内側曲面２３ａとの間に隙間が確保されるので、カバー１２の角Ｅが、カバー支持壁２３の内側曲面２３ａに接触することが防止される。
【００４６】
このため、カバー１２の長手方向の延び縮みに伴って、バリが出ている可能性があるカバー１２の角Ｅがカバー支持壁２３の内側曲面２３ａに擦れないようにできる。したがって、蛍光ランプ８の点灯後及び消灯後に、端部材２１とカバー１２との間での擦過音の発生を抑制できる。なお、スペーサ凸部２６は切断面を有していないので、これとカバー１２の外側曲面１３ｂとが擦れても、異常な擦過音は発生しない。
【００４７】
そして、以上のように擦過音の発生を抑制するスペーサ凸部２６は、カバー支持壁２３の内側曲面２３ａに一体成形されているので、擦過音の発生を抑制するために、それ用の工程、つまり、切断面１３ａにテープを貼り付ける手間や切断面１３ａに面取り加工を施す手間を要することがない。したがって、低コストで前記擦過音の発生を抑制することができる。
【図面の簡単な説明】
【００４８】
【図１】（Ａ）は本発明の一実施形態に係る照明器具を示す斜視図。（Ｂ）は図１（Ａ）の照明器具の一部を分解して示す斜視図。
【図２】図１の照明器具が備えるセードの一端部を示す斜視図。
【図３】図２のセードの一端部を分解して示す斜視図。
【図４】図２中Ｆ４−Ｆ４線に沿うセードの断面図。
【符号の説明】
【００４９】
１…照明器具、２…器具本体、８…蛍光ランプ（光源）、１１…セード、１２…カバー、１３ａ…切断面、１３ｂ…外側曲面、１５…逃げ孔、２１…端部材、２２…端板部、２３…カバー支持壁、２３ａ…内側曲面、２４…対向壁、２５…保持板、２６…スペーサ凸部、２７ａ…ねじ通孔、３０…ねじ、Ａ…垂直距離、Ｂ…接触部、Ｅ…角
【図１】
2008288083.tif 000003
【図２】
2008288083.tif 000004
【図３】
2008288083.tif 000005
【図４】
2008288083.tif 000006